【手続補正書】
【提出日】平成18年3月17日(2006.3.17)
【手続補正１】
【補正対象書類名】特許請求の範囲
【補正対象項目名】全文
【補正方法】変更
【補正の内容】
【特許請求の範囲】
【請求項１】
画像化される対象物の周囲に位置合わせをする中央開口を有する、ほぼＯ字形状のガントリ・リングであって、当該ガントリ・リングの内側周りを３６０°延びる内側空洞を有するガントリ・リングと、
前記ガントリ・リングの内側空洞内に収納され、当該内側空洞周りを３６０°回転可能な固定ロータと、
前記ロータを前記ガントリ・リングの内側空洞周りに回転させるように構成された駆動機構と、
前記ガントリ・リング内の前記ロータの回転方向位置を決める、ロータ位置決めフィードバック・システムと、
前記ロータに固定され、第１の軌道で放射ビームを投射するように構成された放射源と、
前記ロータの第１の位置に固定され、かつ前記第１軌道の放射ビームを受信する位置に配置された検出器と、
前記検出器を、前記第１軌道にほぼ垂直な方向に向かって前記ロータの第２の位置に移動させる検出器位置決め装置と、
前記ロータ上の前記検出器の移動位置を決める、検出器位置決めフィードバック・システムと、
前記放射ビームの軌道を変化させて、このビームを前記ロータ上の前記第２位置に配置された検出器に誘導するビーム位置決め装置と、
前記ロータ位置決めフィードバック・システムおよび前記検出器位置決めフィードバック・システムからの位置決め情報を受けて、前記駆動機構を制御して前記ロータを回転させて前記ガントリ・リングの内部周りにおける回転方向位置を選択し、かつ前記放射ビームの軌道を前記検出器の移動位置に一致させることにより、前記ロータの３６０°回転角度の全体または一部にわたる複数の投射角度から効果的に大視野の対象物の画像を取得する制御システムと、を備えた画像化装置。
【請求項２】
請求項１において、前記検出器が円弧に沿って移動する画像化装置。
【請求項３】
請求項１において、前記検出器が直線に沿って移動する画像化装置。
【請求項４】
請求項１において、前記検出器が２次元検出器である画像化装置。
【請求項５】
請求項４において、前記検出器が２次元平板型検出器である画像化装置。
【請求項６】
請求項１において、前記放射源がＸ線源である画像化装置。
【請求項７】
請求項１において、前記ガントリの中央開口が画像化される対象物を受け入れるように構成され、前記対象物は、前記検出器が移動可能である少なくとも一方向において、前記検出器の視野範囲よりも大きい画像化装置。
【請求項８】
請求項１において、前記検出器位置決め装置が、位置決め装置枠およびこの位置決め装置枠内で前記検出器を移動させるモータを備えている画像化装置。
【請求項９】
請求項１において、前記検出器位置決め装置が、レールおよびこのレールと係合して移動する前記検出器を案内する少なくとも１つのベアリングを有している画像化装置。
【請求項１０】
請求項１において、前記検出器位置決めフィードバック・システムが、直線エンコーダ・テープおよび読取りヘッドを有している画像化装置。
【請求項１１】
請求項１において、前記検出器位置決めフィードバック・システムが、回転エンコーダおよび摩擦車を有している画像化装置。
【請求項１２】
請求項１において、前記検出器が、半径の中心が前記放射源の焦点にある円弧に沿って移動する画像化装置。
【請求項１３】
請求項１において、前記ビーム位置決め装置がビームを誘導することにより、前記検出器が移動しても、ビームの中心線が前記検出器の幾何的中心の方向に向けられた状態を維持する、画像化装置。
【請求項１４】
請求項１において、前記ビーム位置決め装置は、前記放射源の焦点が固定状態を維持する一方で、ビームを複数の軌道に誘導する画像化装置。
【請求項１５】
請求項１において、前記ビーム位置決め装置が、前記放射源を傾斜させる傾斜システムを有している画像化装置。
【請求項１６】
請求項１５において、前記傾斜システムが、前記放射源の焦点を中心として前記放射源を傾斜させる画像化装置。
【請求項１７】
請求項１５において、前記傾斜システムが、一端が傾斜可能な放射源に、他端が支持体にそれぞれ接続されたリニア・アクチュエータを有し、このアクチュエータの長さによって前記放射源の傾斜角度が決められる画像化装置。
【請求項１８】
請求項１５において、前記傾斜システムが、前記Ｘ線源に連結されたモータ駆動式プーリを有している画像化装置。
【請求項１９】
請求項１において、前記ビーム位置決め装置が可動コリメータを有し、このコリメータの位置によってビームの軌道が決められる画像化装置。
【請求項２０】
請求項１において、前記検出された放射ビームを利用して、前記画像化領域内の対象物の２次元平面画像を得る画像化装置。
【請求項２１】
請求項１において、前記検出された放射ビームを利用して、前記画像化領域内の対象物の３次元コンピュータ断層撮影再構成画像を得る画像化装置。
【請求項２２】
ほぼＯ字形状のガントリ・リングであって、当該ガントリ・リングの内側周りを３６０°延びる内側空洞を有するガントリ・リングの中央開口内において対象物の位置合わせをすること、
前記ガントリ・リングの内側空洞内の固定ロータであって、放射源と検出器とを固定して備えるロータを、前記ガントリの３６０°の円周全体にわたる複数の選択された回転方向位置に回転させること、
放射源からの放射ビームを第１の軌道で投射し、このビームが対象物の第１領域を通過して前記ロータ上の第１位置に配置された検出器に達すること、
前記検出器を、前記第１軌道にほぼ垂直な方向に向かって前記ロータ上の第２位置に移動させること、
前記ビームの軌道を変化させることにより、前記ビームが前記対象物の第２領域を通過して前記第２位置にある前記検出器に達するようにすること、および
前記第１検出器位置と前記第２検出器位置との両位置において検出器によって投射を検出して、前記ロータの３６０°回転角度の全体または一部にわたる複数の投射角度から効果的に大視野の対象物の画像を取得すること、
を含む対象物を画像化する方法。
【請求項２３】
請求項２２において、前記検出器を円弧に沿って移動させる画像化方法。
【請求項２４】
請求項２２において、前記検出器を直線に沿って移動させる画像化方法。
【請求項２５】
請求項２２において、前記投射された放射ビームがＸ線放射ビームを含んでいる画像化方法。
【請求項２６】
請求項２２において、前記画像化される対象物が前記検出器の視野範囲よりも大きく、前記検出器を複数の位置に移動させることにより、前記対象物の全体を画像化できるようにする画像化方法。
【請求項２７】
請求項２２において、検出器が２次元検出器である画像化方法。
【請求項２８】
請求項２２において、前記検出器を、位置決め装置枠およびこの枠内で前記検出器を移動させるモータを有している検出器位置決め装置によって移動させる画像化方法。
【請求項２９】
請求項２２において、前記ビームの軌道を、前記放射源を傾斜させることにより変化させる画像化方法。
【請求項３０】
請求項２９において、前記放射源を前記放射源の焦点を中心として傾斜させる画像化方法。
【請求項３１】
請求項２２において、前記ロータが複数の投射角度に回転し、かつ各投射角度において、前記検出器が移動して前記ビームの軌道を変化させる画像化方法。
【請求項３２】
請求項２２において、前記ロータが前記ビームの軌道および第１位置の検出器に合わせて複数の投射角度に回転し、その後前記ロータが前記ビームの軌道および第２位置の検出器に合わせて複数の投射角度に回転する画像化方法。
【請求項３３】
請求項２２において、前記検出された放射を利用して、対象物の２次元平面画像を得る画像化方法。
【請求項３４】
請求項２２において、前記検出された放射を利用して、対象物の３次元コンピュータ断層撮影再構成画像を得る画像化方法。
【請求項３５】
請求項１において、前記検出器位置決め装置が、
対象物からの放射を検出するための検出器と、
前記検出器を支持し、かつ検出器の移動経路を限定する位置決め装置枠と、
前記検出器または位置決め装置枠の少なくとも１つに取り付けられ、前記検出器を移動経路に沿って複数の位置に移動させるモータと、を備えている画像化装置。
【請求項３６】
請求項３５において、前記位置決め装置枠が、前記移動経路を限定する少なくとも１つのレールを備えており、さらに前記システムが、前記少なくとも１つのレールと係合し、前記位置決め装置枠内を移動する前記検出器を案内するベアリングを備えている画像化装置。
【請求項３７】
請求項３６において、前記モータが、摩擦車を前記位置決め装置枠の少なくとも１つのレールに対して駆動して、前記検出器を移動させる画像化装置。
【請求項３８】
請求項３５において、さらに、移動する前記検出器の位置を示す位置決めフィードバック・システムを備えている画像化装置。
【請求項３９】
請求項３８において、前記位置決めフィードバック・システムが、直線エンコーダ・テープおよび読取りヘッドを有している画像化装置。
【請求項４０】
請求項３８において、前記位置決めフィードバック・システムが、回転エンコーダおよび摩擦車を有している検出器画像化装置。
【請求項４１】
請求項１において、前記ビーム位置決め装置が、
第１の軌道で放射ビームを投射する放射源と、
前記放射源を収容し、かつこの放射源に連結されたフレームであって、前記放射源をこのフレームに対して回転運動可能に連結しているフレームと、
前記フレームおよび前記放射源に連結され、前記放射源を前記フレームに対して回転させて前記放射ビームの軌道を変化させる電動式システムと、を備えている画像化装置。
【請求項４２】
請求項４１において、前記電動式システムがリニア・アクチュエータを備えており、このリニア・アクチュエータの長さによって、前記放射源の前記フレームに対する回転角度が制御される画像化装置。
【請求項４３】
請求項４１において、前記放射源が、前記放射ビームの焦点を中心として回転する画像化装置。
【請求項４４】
請求項４１において、前記放射源がＸ線源である画像化装置。